(57)【要約】基地局（２１８）および加入者装置（２１３）のための方法および装置が、直交チャネル構造を使用したＣＤＭＡリバースリンクのソフトハンドオフを可能にする。加入者装置は、リバースリンクを介して基地局に直交符号化された信号を送信する。所定の基地局は、リバースリンク信号のタイミングオフセットのタイミング制御（５１０）を提供する。少なくとも１つの基準に基づいて、アライメントコントローラ（５１５）は、その所定の基地局が別の基地局にタイミング制御をハンドオフすべきであると決定し、ソフトハンドオフプロセスが続いて生じる。所定の基地局から別の基地局への加入者装置のソフトハンドオフのためのコマンドまたはメッセージに応答して、加入者装置は、その符号化信号のタイミングの粗いタイミング調整を行う。加入者装置は、タイミングを制御する基地局からのフィードバックに基づいて微細なタイミング調整を行う。複数の基地局は、加入者装置にパワー制御フィードバックを提供する。
2006506917.tif 000002
【特許請求の範囲】
【請求項１】
符号分割多重アクセス（ＣＤＭＡ）リバースリンク信号を整合させるための無線通信システムであって、
（ｉ）第１のリバースリンクを介して所定の加入者装置から一意の直交符号を含む信号を受信するための第１の受信機と、（ｉｉ）前記信号を、前記第１リバースリンク上の少なくとも１つの他の加入者装置からの信号と本質的に互いに直交させるために、前記信号の総タイミングオフセットを決定することができる、前記受信機に結合された第１のタイミングコントローラとを含む第１の基地局と、
（ｉ）第２のリバースリンクを介して前記所定の加入者装置から前記一意の直交符号を含む前記信号を同時に受信するための第２の受信機と、（ｉｉ）前記信号を、前記第２リバースリンク上の少なくとも１つの他の加入者装置からの信号と本質的に互いに直交させるために、前記信号の総タイミングオフセットを決定することができる、前記第２受信機に結合された第２のタイミングコントローラとを含む第２の基地局と、
（ｉ）前記信号を、前記第１リバースリンクまたは前記第２リバースリンク上の前記少なくとも１つの他の加入者装置からの前記信号と直交に整合させ、（ｉｉ）前記他のリバースリンク上の前記少なくとも１つの他の加入者装置からの前記信号から、前記信号を直交にオフセットすることを可能にするための、前記第１および第２タイミングコントローラと通信するアライメントコントローラと
を具えたことを特徴とする無線通信システム。
【請求項２】
直交整合の役割を割り当てられたことに応答して、前記第１または第２タイミングコントローラは、前記所定の加入者装置に、タイミングコマンドまたはタイミングメッセージの形で前記タイミングオフセットを報告することを特徴とする請求項１記載の無線通信システム。
【請求項３】
（ｉ）前記第１基地局は、前記第１基地局上の前記符号化信号の第１のパワーレベルを決定するための第１のパワーコントローラを含み、
（ｉｉ）前記第２基地局は、前記第２基地局上の前記符号化信号の第２のパワーレベルを決定するための第２のパワーコントローラを含み、
それぞれのパワーコントローラは、前記所定の加入者装置にパワーコマンドまたはパワーメッセージの形で前記パワーレベルのフィードバックを提供することを特徴とする請求項１記載の無線通信システム。
【請求項４】
前記第１および第２パワーコントローラからの前記パワーレベルフィードバックは、
前記所定の加入者装置に、前記２つのフィードバック信号のうちの小さい方に基づいてそのパワーレベルを増加させ、また、前記２つのフィードバック信号のうちの小さい方に基づいて該パワーレベルを減少させることを特徴とする請求項３記載の無線通信システム。
【請求項５】
前記第１基地局は、前記アライメントコントローラを含み、タイミング制御のハンドオフを開始することを特徴とする請求項１記載の無線通信システム。
【請求項６】
前記第２基地局は、前記アライメントコントローラを含み、タイミング制御のハンドオフを開始することを特徴とする請求項１記載の無線通信システム。
【請求項７】
前記加入者装置は、前記アライメントコントローラを含み、タイミング制御のハンドオフを開始することを特徴とする請求項１記載の無線通信システム。
【請求項８】
前記第１および第２基地局に結合された基地局コントローラは、前記アライメントコントローラを含み、タイミング制御のハンドオフを開始することを特徴とする請求項１記載の無線通信システム。
【請求項９】
前記アライメントコントローラはタイミング制御のハンドオフを開始し、
前記タイミング制御のハンドオフは、以下の諸基準、（ａ）前記加入者装置と前記タイミングを制御しない前記基地局との間の伝送パスのメトリックが、所定のタイムスパンの間に閾値を越える手段と、（ｂ）前記加入者装置と前記タイミングを制御しない前記基地局との間の伝送パスのメトリックが、所定のタイムスパンの間に、前記タイミングを制御する前記基地局と前記加入者装置との間の伝送パスのメトリックに対する相対閾値を越える手段と、（ｃ）前記タイミングを制御する前記基地局と前記加入者装置との間の伝送パスのメトリックが、絶対メトリック未満に下がる手段と、（ｄ）前記タイミングを制御しない前記基地局と前記加入者装置との間の伝送パスのメトリックが、絶対メトリックを超える手段とのうちの少なくとも１つに基づくことを特徴とする請求項１記載の無線通信システム。
【請求項１０】
前記メトリックは、（ａ）パワー、（ｂ）信号対雑音比（ＳＮＲ）、（ｃ）前記パワーの差異、（ｄ）前記ＳＮＲの差異、（ｅ）前記所定の加入者装置と前記第１および第２基地局との間の前記直交整合パスと非直交整合パスとの（ｉ）パワー、（ｉｉ）ＳＮＲ、（ｉｉｉ）前記パワーの差異、または（ｉｖ）前記ＳＮＲの差異、（ｆ）ビット誤り率、および（ｇ）チップ当たりエネルギーを干渉密度で割った値（Ｅｃ／Ｉｏ）の相対比
のうちの少なくとも１つを含むことを特徴とする請求項９記載の無線通信システム。
【請求項１１】
無線通信システムにおいて、符号分割多重アクセス（ＣＤＭＡ）リバースリンク信号を整合させるための方法であって、
第１の基地局によって、（ｉ）第１のリバースリンクを介して所定の加入者装置から一意の直交符号を含む信号を受信する工程と、（ｉｉ）前記信号を、前記第１リバースリンク上の少なくとも１つの他の加入者装置からの信号と本質的に互いに直交させるために、前記信号の総タイミングオフセットを決定する工程と、
第２の基地局によって、（ｉ）第２のリバースリンクを介して前記所定の加入者装置から前記一意の直交符号を含む前記信号を同時に受信する工程と、（ｉｉ）前記信号を、前記第２リバースリンク上の少なくとも１つの他の加入者装置からの信号と本質的に互いに直交させるために、前記信号の総タイミングオフセットを決定する工程と、
（ｉ）前記信号を、前記第１リバースリンクまたは前記第２リバースリンク上の前記少なくとも１つの他の加入者装置からの前記信号と直交に整合させる工程と、（ｉｉ）前記他のリバースリンク上の前記少なくとも１つの他の加入者装置からの前記信号から、前記信号を直交にオフセットできるようにする工程と
を具えたことを特徴とする方法。
【請求項１２】
直交整合の役割を割り当てられたことに応答して、前記第１および第２タイミングコントローラは、前記所定の加入者装置にタイミングコマンドまたはタイミングメッセージの形で前記タイミングオフセットを報告することを特徴とする請求項１１に記載の方法。
【請求項１３】
（ｉ）前記第１基地局は、前記第１基地局上の前記符号化信号の第１のパワーレベルを決定するための第１のパワーコントローラを含み、
（ｉｉ）前記第２基地局は、前記第２基地局上の前記符号化信号の第２のパワーレベルを決定するための第２のパワーコントローラを含み、
それぞれのパワーコントローラは、前記所定の加入者装置にパワーコマンドまたはパワーメッセージの形で前記パワーレベルのフィードバックを提供することを特徴とする請求項１１記載の方法。
【請求項１４】
前記第１および第２パワーコントローラからの前記パワーレベルフィードバックは、
前記所定の加入者装置に、前記２つのフィードバック信号のうちの小さい方に基づいてそのパワーレベルを増加させ、また前記２つのフィードバック信号のうちの小さい方に基づいて該パワーレベルを減少させることを特徴とする請求項１３記載の方法。
【請求項１５】
前記第１基地局は、前記アライメントコントローラを含み、タイミング制御のハンドオフを開始することを特徴とする請求項１１記載の方法。
【請求項１６】
前記第２基地局は、前記アライメントコントローラを含み、タイミング制御のハンドオフを開始することを特徴とする請求項１１記載の方法。
【請求項１７】
前記加入者装置は、前記アライメントコントローラを含み、タイミング制御のハンドオフを開始することを特徴とする請求項１１記載の方法。
【請求項１８】
前記第１および第２基地局に結合された基地局コントローラは、前記アライメントコントローラを含み、タイミング制御のハンドオフを開始することを特徴とする請求項１１記載の方法。
【請求項１９】
前記アライメントコントローラはタイミング制御のハンドオフを開始し、前記タイミング制御ハンドオフは、以下の諸基準、（ａ）前記加入者装置と前記タイミングを制御しない前記基地局との間の伝送パスのメトリックが、所定のタイムスパンの間に閾値を越える工程と、（ｂ）前記加入者装置と前記タイミングを制御しない前記基地局との間の伝送パスのメトリックが、所定のタイムスパンの間に、前記タイミングを制御する前記基地局と前記加入者装置との間の伝送パスのメトリックに対する相対閾値を越える工程と、（ｃ）前記タイミングを制御する前記基地局と前記加入者装置との間の伝送パスのメトリックが、絶対メトリック未満に下がる工程と、（ｄ）前記タイミングを制御しない前記基地局と前記加入者装置との間の伝送パスのメトリックが、絶対メトリックを超える工程とのうちの少なくとも１つに基づくことを特徴とする請求項１１記載の方法。
【請求項２０】
前記メトリックは、（ａ）パワー、（ｂ）信号対雑音比（ＳＮＲ）、（ｃ）前記パワーの差異、（ｄ）前記ＳＮＲの差異、（ｅ）前記所定の加入者装置と前記第１および第２基地局との間の前記直交整合パスと非直交整合パスとの（ｉ）パワー、（ｉｉ）ＳＮＲ、（ｉｉｉ）前記パワーの差異、または（ｉｖ）前記ＳＮＲの差異、（ｆ）ビット誤り率、および（ｇ）チップ当たりエネルギーを干渉密度で割った値（Ｅｃ／Ｉｏ）の相対比
のうちの少なくとも１つを含むことを特徴とする請求項１９記載の方法。
【請求項２１】
無線通信システムにおいて、符号分割多重アクセス（ＣＤＭＡ）リバースリンク信号を整合させるための装置であって、
第１の基地局で、（ｉ）第１のリバースリンクを介して所定の加入者装置から一意の直交符号を含む信号を受信する手段と、（ｉｉ）前記信号を、前記第１リバースリンク上の少なくとも１つの他の加入者装置からの信号と本質的に互いに直交させるために、前記信号の総タイミングオフセットを決定する手段と、
第２の基地局で、（ｉ）第２のリバースリンクを介して前記所定の加入者装置から前記一意の直交符号を含む前記信号を同時に受信する手段と、（ｉｉ）前記信号を、前記第２リバースリンク上の少なくとも１つの他の加入者装置からの信号と本質的に互いに直交させるために、前記信号の総タイミングオフセットを決定する手段と、ならびに
（ｉ）前記信号を、前記第１リバースリンクまたは前記第２リバースリンク上の前記少なくとも１つの他の加入者装置からの前記信号と直交に整合させる手段と、（ｉｉ）前記信号を、前記他のリバースリンク上の前記少なくとも１つの他の加入者装置からの前記信号から、直交にオフセットできるようにする手段と
を具えたことを特徴とする装置。
【請求項２２】
ＣＤＭＡリバースリンクチャネルを整合させるための基地局であって、
リバースリンクを介して加入者装置から、直交符号化された信号を受信するための直交チャネル受信機と、
前は別の基地局によるタイミング制御下にあった前記加入者装置のタイミング制御を再割り当てするためのコマンドまたはメッセージに応答して、前記符号化信号のタイミングを粗タイミング調整させるためのタイミングコントローラと
を具えたことを特徴とする基地局。
【請求項２３】
基地局で、ＣＤＭＡリバースリンクチャネルを整合させるための方法であって、
リバースリンクを介して加入者装置から、直交符号化されたリバースリンク信号を受信する工程と、
前は別の基地局によるタイミング制御下にあった加入者装置の前記リバースリンクのタイミング制御を再割り当てするためのコマンドまたはメッセージに応答して、前記符号化信号の総タイミングオフセットを決定し、前記リバースリンク符号化信号のタイミングを粗タイミング調整させる工程と
を具えたことを特徴とする方法。
【請求項２４】
ＣＤＭＡリバースリンクチャネルを整合させるための基地局であって、
リバースリンクを介して加入者装置から一意の直交符号化されたリバースリンク信号を受信する手段と、
前は別の基地局によるタイミング制御下にあった前記加入者装置のタイミング制御を再割り当てするためのコマンドまたはメッセージに応答して、前記符号化信号の総タイミングオフセットを決定し、前記符号化信号のタイミングを粗タイミング調整させる手段と
を具えたことを特徴とする基地局。
【請求項２５】
ＣＤＭＡリバースリンクチャネルを整合させる、無線ネットワーク内で動作する加入者装置であって、
リバースリンクを介して基地局に一意の直交符号化された信号を送信するための直交チャネル送信機と、
前記基地局から総タイミングオフセットを受信したことに応答して前記符号化信号を粗タイミング調整させて、前記符号化信号を、前記基地局との前記リバースリンク上の少なくとも１つの他の加入者装置からの符号化信号と本質的に互いに直交させるためのタイミング調整装置と
を具えたことを特徴とする加入者装置。
【請求項２６】
無線ネットワーク内で動作する加入者装置内での方法であって、
リバースリンクを介して基地局に一意の直交符号化された信号を送信する工程と、
前記基地局から総タイミングオフセットを受信したことに応答して前記符号化信号の粗タイミング調整を行って、前記符号化信号を、前記基地局との前記リバースリンク上の少なくとも１つの他の加入者装置からの符号化信号と本質的に互いに直交させる工程と
を具えたことを特徴とする方法。
【請求項２７】
無線ネットワーク内で動作する加入者装置であって、
リバースリンクを介して基地局に一意の直交符号化された信号を送信する手段と、
前記基地局から総タイミングオフセットを受信したことに応答して前記符号化信号の粗タイミング調整を行って、前記符号化信号を、前記基地局との前記リバースリンク上の少なくとも１つの他の加入者装置からの符号化信号と本質的に互いに直交させる手段と
を具えたことを特徴とする加入者装置。
【請求項２８】
第１グループの端末のメンバ間、および第２グループの端末のメンバ間の符号分割多重アクセス（ＣＤＭＡ）通信をサポートするシステム内での方法であって、
前記第１グループの端末に第１の符号を割り当てることであって、前記第１グループの各ユーザは、一意の符号位相オフセットによって一意に識別可能である工程と、
前記第２グループの端末に、前記第１グループによって使用されるのと同じ符号を割り当てることであって、しかし前記第２グループの各ユーザは、その符号の共通の位相オフセットを使用する工程と、
前記第２グループの各ユーザに追加の符号を割り当てることであって、前記追加の符号は、前記第２グループの前記端末のそれぞれについて一意である工程と、
前記第２グループの所定のメンバについて、総タイミングオフセットを決定して、前記所定のメンバを前記第２グループの他のメンバと整合させる工程と
を具えたことを特徴とする方法。
【請求項２９】
第１のセットのアクセス装置と、第２のセットのアクセス装置とを含む無線通信システムであって、
前記第１セットのアクセス装置および前記第２セットのアクセス装置は、中央基地局と通信することができ、
前記第１セットのアクセス装置は、そのユーザチャネルを分離するためにチップ速度スクランブル符号を使用し、
前記第１セットのアクセス装置の各別個の装置は、長い擬似ランダムノイズ系列の一意の時間シフトから選択された少なくとも１つの一意の非直交スクランブル系列を含み、
前記第２グループのアクセス装置は、（ｉ）前記第１グループのアクセス装置によって使用されない共通のチップ速度スクランブル符号を共有し、（ｉｉ）前記共通のチップ速度スクランブル符号を粗調整できることを特徴とする無線通信システム。
【発明の詳細な説明】
【技術分野】
【０００１】
本発明は、ＣＤＭＡリバースリンクのソフトハンドオフに係り、無線通信システム、リンク信号又はリンクチャネルを整合させるための装置および方法に関する。
【背景技術】
【０００２】
過去２０年間に、無線通信サービスのタイプと需要の両方が、かつてないほどの成長を遂げた。携帯電話、パーソナル通信サービス（ＰＣＳ：Ｐｅｒｓｏｎａｌ  Ｃｏｍｍｕｎｉｃａｔｉｏｎ  Ｓｅｒｖｉｃｅ）および類似のシステムを含めて無線音声通信サービスは現在、ほぼユビキタスなカバー範囲を提供している。こうしたネットワークの基盤は、米国、ヨーロッパ、および世界の他の先進地域のほとんどの居住者が、選択する対象となる単に１つではなく複数のサービスプロバイダを有するところにまで拡張されてきた。
【０００３】
電子およびコンピュータ産業の継続成長は、インターネット、ならびにそれが提供する無数のサービスおよび機能へのアクセスの需要にますます寄与している。コンピューティング装置の使用、特に、ラップトップコンピュータ、ハンドへルドの携帯情報端末（ＰＤＡ：Ｐｅｒｓｏｎａｌ  Ｄｉｇｉｔａｌ  Ａｓｓｉｓｔａｎｔ）、インターネット対応の携帯電話および類似の装置を含めて様々なポータブル装置の使用が普及することによって、それに付随する無線データアクセスの必要性の増加がもたらされてきた。
【０００４】
【特許文献１】米国特許出願第０９／７７５３０５号明細書
【発明の開示】
【発明が解決しようとする課題】
【０００５】
携帯電話およびＰＣＳネットワークは広く配置されているが、こうしたシステムは本来、データトラフィックを運ぶためのものではなく、インターネット通信に必要なバーストモードのデジタル通信プロトコルと比べて、連続的なアナログ信号を効率的にサポートするように設計されている。音声通信は、約３キロヘルツ（ｋＨｚ）の通信チャネル帯域幅で十分であることも考慮されたい。
しかし、ウェブの閲覧などの効果的なインターネット通信には、少なくとも５６キロビット／秒（ｋｂｐｓ）以上のデータ転送速度が必要であることが一般的に受け入れられている。
【０００６】
さらに、データトラフィック自体の真の性質は、音声通信の性質とは異なる。音声は連続的な二重接続、すなわち接続の一方の側のユーザが接続のもう一方の側のユーザに対して連続的に送受信できることを期待し、それと同時にもう一方の側のユーザも送受信できることを必要とする。
【０００７】
しかし、インターネット上のウェブページへのアクセスは一般に、非常にバースト指向（ｂｕｒｓｔ−ｏｒｉｅｎｔｅｄ）である。一般に、リモートクライアントコンピュータのユーザは、例えばウェブサーバ上などのコンピュータファイルのアドレスを指定する。次いで、この要求は、一般には１０００バイト未満の長さの比較的に短いデータメッセージとしてフォーマットされる。次いで、接続のもう一方の側、例えばネットワーク内のウェブサーバは、１０キロバイトから数メガバイトのテキスト、画像、オーディオまたはビデオデータである要求されたデータファイルで応答する。インターネット自体に本来備わる遅延のために、ユーザはしばしば、要求コンテンツがそれに送達され始める前に少なくとも数秒以上の遅延を見込む。そのコンテンツが送達されると、ユーザは、ダウンロードする次のページを指定する前に、ページの内容を閲覧し読むのに数秒または数分さえも費やす。
【０００８】
さらに、音声ネットワークは、移動性の高い使用法をサポートするように構築されており、つまり、音声ベースのセルラおよびＰＣＳネットワークのユーザがハイウェイに沿って高速に移動する間に接続を維持するためのハイウェイ速度タイプの移動性をサポートするために、極端な長さが取られていた。
しかし、ラップトップコンピュータの典型的なユーザは、机に向かうなど、比較的に動かない状態にある。したがって、無線音声ネットワークにとって極めて重要と見なされるセル間の高速移動性は一般に、データアクセスをサポートするためには必要とされない。
【課題を解決するための手段】
【０００９】
無線データをより効率的に収容するために、既存の無線基盤の特定の構成要素を改造することは道理にかなっている。データ転送速度は高速であるが、移動性は低いユーザである新しいクラスのユーザのために実装される追加の機能は、データ転送速度は低速であるが、移動性は高いユーザのための既存の機能と下位互換性があるべきである。これによって、同じ周波数割当て計画、基地局アンテナ、拡張サイト、および使用される既存の音声ネットワーク基盤の他の側面を使用して、新しい高速データサービスを提供することが可能になる。
【００１０】
例えば遠隔装置から基地局へなどのリバースリンクでデータを運ぶネットワークのリバースリンク上で、できるだけ高速のデータ転送速度をサポートすることが特に重要である。ＩＳ−９５符合分割多重アクセス（ＣＤＭＡ：Ｃｏｄｅ  Ｄｉｖｉｓｉｏｎ  Ｍｕｌｔｉｐｌｅ  Ａｃｃｅｓｓ）などの既存のデジタルセルラ規格は、チャネル間の最小の干渉を維持するために、フォワードリンク方向でそれぞれ異なる符号系列の使用を指定することを考慮されたい。具体的には、こうしたシステムは、個々の論理チャネルを定義するフォワードリンク上で直交符号を使用する。しかし、こうしたシステムが最適に動作するには、受信側で直交性を維持するために、こうしたすべての符号が特定の境界に対して時間整合がとられていることが必要である。したがって、その伝送は、同期されなければならない。
【００１１】
これは、フォワードリンク方向では、すべての伝送が同じ位置、すなわち無線基地局装置（ｂａｓｅ  ｔｒａｎｓｃｅｉｖｅｒ  ｓｔａｔｉｏｎ）の位置で発生するので、特別な問題ではない。しかし、デジタルセルラＣＤＭＡ規格は現在、リバースリンク方向では、チャネル間の直交性の使用を試みまたはそれを求めていない。それぞれ異なる位置で、また基地局から潜在的にかなり異なる距離に位置する遠隔局から発生する伝送を同期させることは、難しすぎると一般に見なされる。その代わりに、こうしたシステムは一般に、個々のリバースリンクチャネルを区別するために、この長い擬似ランダム符号の一意のシフトを含むチップレベルのスクランブル符号を使用する。しかし、このスクランブルの使用は、それぞれ異なるユーザの伝送が互いに直交する可能性をこのように除外している。
【００１２】
したがって、本発明の一実施形態は、第１グループのユーザと第２グループのユーザのメンバ間の通信をサポートするシステムを含む。デジタル符号分割多重アクセス（ＣＤＭＡ）携帯電話システムのレガシーユーザ（ｌｅｇａｃｙ  ｕｓｅｒ）である第１グループのユーザは、共通の第１の符号でその伝送を符号化する。こうした第１グループのユーザは、それぞれのユーザについて一意の符号位相オフセットを提供することによって一意に識別可能である。高速データサービスのユーザである第２グループのユーザは、同じ符号、およびその符号の符号位相オフセットのうちの１つを使用して、その伝送を符号化する。しかし、第２グループの各ユーザは、第２グループの各ユーザに一意の追加の符号を用いて、その伝送をさらに符号化する。これによって、第２グループのユーザの伝送が、集合的には第１グループの単一のユーザのように見える外観を依然として維持しながら、互いに直交することができる。
【００１３】
第１グループのユーザに割り当てられる符号は、共通のチップ速度の擬似ランダム符号である。第２グループの端末に割り当てられる符号は一般に、１組の一意の直交符号である。第１グループの端末の個々のメンバは、選択されたより長い擬似ランダムノイズ系列の一意の位相オフセットを含むスクランブル符号によって区別することができる。
【００１４】
好ましい一実施形態では、第２グループのユーザの間のシグナリング、すなわち「ハートビート」の適切な操作を行うようにするための特定のステップが取られる。具体的には、共通の符号チャネルが、同期チャネルとして使用するために専用とされる。これによって、例えば符号化方式がリバースリンク方向で実装される場合、第２グループの端末の伝送の適切なタイミングを維持することができる。
【００１５】
別の実施形態では、第２グループのユーザに特定の時間スロットを割り当てることができ、この時間スロット内で、時間分割多重アクセスを使用することによって送信し、したがって直交性を維持する。この場合も、重要な点は、第２グループのユーザが集合的には、第１グループユーザの伝送にとって単一のユーザのように見えることである。
【００１６】
本発明の諸原理によって、車両の移動性のために設計された現在のＣＤＭＡシステムは、リバースリンク上で直交チャネルユーザのためのソフトハンドオフをサポートして、非常に変化しやすいＲＦ環境内のリバースリンクチャネル接続の堅牢性を高めることができる。
【００１７】
直交リンクは、あるユーザから次のユーザへの直交性を維持するために時間整合がとられなければならないので、単一の基地局からのタイミング制御ループが使用される。相対的な伝搬遅延時間によって両方の基地局で時間整合をとることが複雑になるで、リバースリンク方向において、２つの基地局に対する直交性は容易に実現されない。したがって、ソフトハンドオフを備えた直交リバースリンクを使用するために、タイミング制御を提供する１次リバースリンク基地局、および非直交に伝送を受信する２次基地局が存在する。
【００１８】
１次基地局から２次基地局にいつタイミング制御を再割り当てするのが有利であるかを決定するための具体的な基準を定義して、第１から第２の基地局への直交リンクの変更を可能にする。直交基地局が１つしかないので、第２基地局で受信される信号レベルは、受信に十分である。こうした信号を使用して、ダイバーシチを提供することができる。これは、移動性の高いシステムで特に有用である。
【００１９】
単一の基地局だけがタイミング制御を実施するが、好ましい一実施形態では、両方がパワー制御を実施する。これは、ユーザが移動するのにつれて非直交基地局に対するパス損失が増大するので、受信パワーが過度な干渉を発生し始めるほど強力になり、第２基地局の容量を低減させるためである。したがって、信号レベルが３次基地局での受信に十分である場合、送信パワーを低減させるためのコマンドおよびメッセージが加入者装置に送信される。こうしたコマンドは直交基地局と非直交基地局の両方の受信パワーに影響を与えるが、１次基地局から２次基地局にタイミング制御を再割り当てすることが適切である。典型的な条件は、非直交基地局すなわち２次基地局に対する測定されたパス損失が、ある閾値差、例えば１０ｄｂを超える場合である。
【００２０】
既存のＣＤＭＡシステムは、リバースリンクのチャネル化を非直交に定義する。これは、それぞれのリバースリンクユーザについて一意の拡散符号シフトを定義することによって実施される。直交と非直交の下位互換は、同じ拡散符号を共有する１次基地局の直交ユーザによって実現される。こうしたユーザ信号が他の基地局で受信される場合、それは、時間整合がとれている可能性は低いが、すべてが一意の符号シフトを有し、符号シフトと直交符号の組合せに基づいて一意に識別されることができる。こうした信号は、既存のＣＤＭＡシステムへの遺物である標準の非直交信号よりも干渉が大きいものではない。したがって、今日ソフトハンドオフが実施されているように、それは、直交１次基地局と非直交２次基地局で実施される。
【００２１】
タイミングが現在２次基地局から来ている（すなわちリバースリンクタイミング制御のハンドオフが行われた）ように１次基地局に再割り当てされるときに、重要な遅延および符号位相オフセットが存在する。１ビット微分タイミング制御ループは、それがハンドオフされるときに新しい基地局との直交性を迅速に得るには遅すぎる。したがって、ハンドオフが行われるときに、総タイミング調整のコマンドまたはメッセージを使用して、リバースリンクを迅速に再整合させることができ、ただし、総タイミング調整は、絶対的でも相対的でもよい。タイミングコマンドの場合は、加入者装置は粗いタイミング調整を行うように命じられ、タイミングメッセージの場合は、加入者装置は、タイミングメッセージ内の情報に自律的に応答する。
【００２２】
タイミング制御ハンドオフの基準は、以下の少なくとも１つを含む基準に基づく。
１．代替パスのメトリックが、指定された時間間隔の間に閾値を超える、
２．代替パスのメトリックが、指定された時間間隔の間に、現行パスに対する相対閾値を超える、
３．現在選択されているパスが、絶対メトリック未満に下がる、または
４．候補のパスが、絶対メトリックを超過する、ただし、メトリックは、以下のうちの１つまたは複数でありる。
ａ．パワー、
ｂ．ＳＮＲ、
ｃ．パワーの差異、
ｄ．ＳＮＲの差異、または
ｅ．２つのパス（すなわち直交リンクと非直交リンク）間の上記メトリックの相対比。
【００２３】
直交リバースリンク（ＲＬ）のパワー制御（またはＳＮＲ制御）は、（整合がとられた）直交および非直交パスの両方に基づく。パワー制御ループがアクティブなときに非直交パスのＳＮＲが上記にリストした質の基準を満たす場合、加入者装置のタイミング制御が、非直交パスに関連する基地局に再割り当てされる。
【００２４】
パワー制御ループに言及すると、メッセージまたは報告ではなく、コマンドが送信される場合、そのコマンドは、各パスの最小ＳＮＲである。例えば、２つのパスがトラッキングされており、一方はパワーを必要とし、他方は過度なパワーを有する場合、そのパワーを下げるように命じられる。これはソフトハンド機能にも同様に適用され、ただし、加入者装置によって出力されるパワーは、パワーメトリックを提供するすべてのコマンドまたはメッセージがその増大を求める場合にだけ増大される。
【００２５】
基地局の非直交パスからのコマンドと直交パスのコマンドとの間に、相対オフセットが存在しる。例えば、より多いまたは少ないパワーを求める非直交パスからのコマンドは、直交パスが無視され、また他方のパスがパワー減少を制御する前に、より一貫性があり、またはさらに長い期間、またはさらに長い継続時間の間続くことが必要である。基地局内直交ゾーンもまた、上記と同様のやり方で取り扱うことができる。
【００２６】
パワー制御は、タイミング直交性を１つの基地局によって制御しながら、直交と非直交の両方の基地局によって維持されることができる。パワー制御が直交と非直交の両方の基地局に合わせて維持される間、メトリックを含むコマンドまたはメッセージが、フォワードリンクで加入者装置の送信機に送信されなければならない。
【００２７】
各基地局からのパワー制御コマンドは、質のメトリックがそれぞれの個々の基地局で達成されるかどうかに基づく。この質のメトリックは、ビット誤り率、信号対雑音比、受信パワーまたはＥｃ／Ｉｏである。メトリックが満たされるという条件で、送信パワー低減のコマンドが送信される。アクセス端末は、両方の基地局からコマンドを受信するので、矛盾するコマンドをしばしば受信する。これが発生する場合、アクセス端末は、パワー減少コマンドが存在するならば、それに従う。これは事実上、排他ＯＲ関数であり、例えば、両方の基地局がパワーアップを命じる場合にだけ、パワーアップが行われる。いずれかの基地局がパワーダウンを命じる場合、アクセス端末でパワーダウンが行われる。これは、マルチビットコマンドについても同様に当てはまり、だたし、パワーの最小増加または最大減少に従う。
【００２８】
本発明の上記および他の目的、特徴および利点は、添付の図面に図示された、本発明の好ましい実施形態についての以下のより詳細な説明から明らかである。図面では、同じ参照記号は、それぞれ異なる図を通じて同じ部分に言及している。図面は、一定の尺度で必ずしも作られておらず、本発明の諸原理を図示することに重点を置いている。
【発明を実施するための最良の形態】
【００２９】
以下は、本発明の好ましい実施形態についての説明である。
【００３０】
図１は、信号符号化方式を利用する符号分割多重アクセス（ＣＤＭＡ）通信システム１０のブロック図である。この信号符号化方式では、第１クラスの論理チャネルに、それぞれ異なる符号位相オフセットを含む一意の長い符号が割り当てられ、また第２クラスの論理チャネルが、共通の符号および共通の符号位相オフセットを、各チャネルについて一意の直交符号を使用する追加の符号プロセスと組み合わせて使用することによって提供される。
【００３１】
本発明の好ましい実施形態についての以下の詳細な説明では、通信システム１０は、共有されるチャネルリソースがワイヤレスまたは無線チャネルであるように記述されている。なお、本明細書で述べる技術は、電話接続、コンピュータネットワーク接続、ケーブル接続、およびアクセスが需要主導型のべースで与えられる他の物理媒体などの他のタイプの媒体への共有アクセスを実施するために適用されることを理解されたい。
【００３２】
システム１０は、第１グループのユーザ１１０および第２グループのユーザ２１０のための無線通信をサポートする。第１グループのユーザ１１０は一般に、無線ハンドセット１１３−１、１１３−２などの携帯電話装置、および／または車両内に設置されたセルラ移動電話１１３−ｈのレガシーユーザである。この第１グループのユーザ１１０は主に、その通信が連続的な伝送として符号化される音声モードでネットワークを使用する。好ましい一実施形態では、こうしたユーザの伝送は、フォワードリンク４０無線チャネルおよびリバースリンク５０無線チャネルを介して加入者装置１１３から転送される。その信号は、基地局アンテナ１１８、無線基地局装置（ＢＴＳ）１２０、基地局制御装置（ＢＳＣ：ｂａｓｅ  ｓｔａｔｉｏｎ  ｃｏｎｔｒｏｌｌｅｒ）１２３を含む中央位置で管理される。したがって、第１グループのユーザ１１０は一般に、公衆交換電話網（ＰＳＴＮ：Ｐｕｂｌｉｃ  Ｓｗｉｔｃｈｅｄ  Ｔｅｌｅｐｈｏｎｅ  ｎｅｔｗｏｒｋ）１２４を介して電話接続を接続するための移動加入者装置１１３、ＢＴＳ１２０、およびＢＳＣ１２３を使用して、音声会話に従事する。
【００３３】
第１グループのユーザによって使用されるフォワードリンク４０は、米国電気通信産業協会（ＴＩＡ：Ｔｅｌｅｃｏｍｍｕｎｉｃａｔｉｏｎ  Ｉｎｄｕｓｔｒｙ  Ａｓｓｏｃｉａｔｉｏｎ）によって規定されたＩＳ−９５Ｂ内に定義された符号分割多重アクセス（ＣＤＭＡ）などの周知のデジタルセルラ規格に従って符号化される。このフォワードリンク４０は、少なくともページングチャネル１４１およびトラフィックチャネル１４２、ならびに他の論理チャネル１４４を含む。該システムでは、こうしたフォワードリンク４０のレガシーチャネル１４１、１４２、１４４は、直交符号化されたチャネルを使用して定義される。またこうした第１グループのユーザ１１０は、ＩＳ−９５Ｂ規格に従って、リバースリンク５０を介したその伝送を符号化する。したがって、該ユーザは、アクセスチャネル１５１、トラフィックチャネル１５２、および他の論理接続１５４を含めて、リバースリンク５０方向の複数の論理チャネルを利用する。このリバースリンク５０では、第１グループのユーザ１１０は一般に、それぞれ異なる符合位相オフセットを使用する共通の長い符号で信号を符号化する。リバースリンク５０上のレガシーユーザ１１０のための信号符号化のやり方もまた、当技術分野では周知である。
【００３４】
通信システム１０は、第２のグループのユーザ２１０をも含む。第２グループのユーザ２１０は一般に、高速無線データサービスを必要とするユーザである。そのシステム構成要素は、遠隔に位置する複数のパーソナルコンピュータ（ＰＣ：Ｐｅｒｓｏｎａｌ  Ｃｏｍｐｕｔｅｒ）装置２１２−１、２１２−２、．．．２１２−ｈ、．．．２１２−ｌ、対応するリモート加入者アクセス装置（ＳＡＵ；Ｓｕｂｓｃｒｉｂｅｒ  Ａｃｃｅｓｓ  Ｕｎｉｔ）、２１４−１、２１４−２、．．．２１４−ｈ、．．．２１４−ｌ、および関連するアンテナ２１６−１、２１６−２、．．．２１６−ｈ、．．．２１６−ｌを含む。中央に位置する装置は、基地局アンテナ２１８および基地局プロセッサ（ＢＳＰ：Ｂａｓｅ  Ｓｔａｔｉｏｎ  Ｐｒｏｃｅｓｓｏｒ）２２０を含む。ＢＳＰ２２０は、インターネットゲートウェイ２２２へのおよびそこからの接続を提供し、このインターネットゲートウェイは、インターネット２２４などのデータネットワーク、およびネットワーク２２２に接続されたネットワークファイルサーバ２３０へのアクセスを提供する。
【００３５】
ＰＣ２１２は、レガシーユーザ１１０によって使用されるフォワードリンク４０およびリバースリンク５０上で実施される双方向の無線接続を介して、ネットワークサーバ２３０にデータ送信し、また該サーバからデータを受信することができる。図示するような１対多ポイントのマルチアクセス無線通信システム１０では、所定の基地局プロセッサ２２０は、携帯電話通信ネットワークに類似のやり方で、複数の異なるアクティブな加入者アクセス装置２１４との通信をサポートすることを理解されたい。
【００３６】
このシナリオでは、第１グループ１１０による使用のために割り当てられた無線周波数は、第２グループ２１０による使用のために割り当てられた無線周波数と同じである。本発明は具体的には、第１グループ１１０に対する最小限の干渉をもたらしながら、第２グループ２１０によって別の符号化構造を使用することをどのようにして可能にするかに関する。
【００３７】
ＰＣ２１２は一般に、ラップトップコンピュータ２１２−１、ハンドヘルド装置２１２−ｈ、インターネット対応携帯電話または携帯情報端末（ＰＤＡ）タイプのコンピューティング装置である。ＰＣ２１２はそれぞれ、イーサネット（登録商標）型の接続などの適切な有線接続を介して個々のＳＡＵ２１４に接続される。
【００３８】
ＳＡＵ２１４は、その関連するＰＣ２１２を、ＢＳＰ２２０、ゲートウェイ２２２およびネットワーク２２４を介してネットワークファイルサーバ２３０に接続できるようにする。リバースリンク方向、すなわちデータトラフィックがＰＣ２１２からサーバ２３０に向かって移動する場合、ＰＣ２１２は、インターネットプロトコル（ＩＰ：Ｉｎｔｅｒｎｅｔ  Ｐｒｏｔｏｃｏｌ）レベルのパケットをＳＡＵ２１４に提供する。次いで、ＳＡＵ２１４は、有線のフレーミング（すなわちイーサネット（登録商標）フレーミング）を、適切な無線接続のフレーミングおよび符号化とともにカプセル化する。次いで、適切にフォーマットされた無線データパケットは、アンテナ２１６および２１８を通って、リバースリンク５０を含む無線チャネルのうちの１つを介して移動する。次いで、中央基地局位置で、ＢＳＰ２２０は、無線リンクフレーミングを抽出して、そのパケットをＩＰ形式に再フォーマットし、インターネットゲートウェイ２２２を介してそれを転送する。次いでパケットは、任意の数および／または任意のタイプのＴＣＰ／ＩＰネットワーク、例えばインターネット２２４を介して、最終目的地、例えばネットワークファイルサーバ２３０にルーティングされる。
【００３９】
データは、ネットワークファイルサーバ２３０からＰＣ２１２へとフォワードリンク４０方向に送信することもできる。この場合、ファイルサーバ２３０で発生したインターネットプロトコル（ＩＰ）パケットは、インターネット２２４上を移動し、インターネットゲートウェイ２２２を通ってＢＳＰ２２０に到達する。次いで、適切な無線プロトコルフレーミングおよび符号化が、ＩＰパケットに付加される。次いで、パケットは、アンテナ２１８および２１６を通って、意図された受信側ＳＡＵ２１４に移動する。受信側ＳＡＵ２１４は、無線パケットフォーマティングを復号し、ＩＰ層処理を実施する意図されたＰＣ２１２にそのパケットを転送する。
【００４０】
したがって、所定のＰＣ２１２およびファイルサーバ２３０は、ＰＣレベルの二重接続の終端点と見ることができる。接続が確立されると、ＰＣ２１２のユーザはしたがって、ファイルサーバ２３０にデータを送信し、またそこから受信することができる。
【００４１】
第２グループのユーザ２１０から見ると、リバースリンク５０は実際に、アクセスチャネル２５１、複数のトラフィックチャネル２５２−１．．．２５２−ｔおよび保守チャネル５３を含めて、複数の異なるタイプの論理および／または物理無線チャネルからなる。リバースリンクアクセスチャネル２５１は、ＳＡＵ２４０によって使用され、ＳＡＵ２４０にトラフィックチャネルを与えるように要求するためにメッセージをＢＳＰ２２０に送信する。次いで、割り当てられたトラフィックチャネル２５２は、ＳＡＵ２１４からＢＳＰ２２０にペイロードデータを運ぶ。所定のＩＰ層接続は実際に、それに割り当てられた２つ以上のトラフィックチャネル２５２を含むことを理解されたい。さらに、保守チャネル２５３は、リバースリンク５０を介した情報伝送をさらにサポートするために、同期化およびパワー制御メッセージなどの情報を運ぶことができる。
【００４２】
同様に、第２グループのユーザは、ページングチャネル２４１、複数のトラフィックチャネル２４２−１．．．２４２−ｔおよび保守チャネル２４３を含むフォワードリンク４０を有する。ページングチャネル２４１は、ＢＳＰ２２０によって、フォワードリンクトラフィックチャネル２５２がＳＡＵ２１４に割り当てられたことを知らせるだけでなく、リバースリンク方向の割り当てられたトラフィックチャネル２５２についてＳＡＵ２１４に知らせるために使用される。次いで、フォワードリンク４０上のトラフィックチャネル２４２−１．．．２４２−ｔが、ＢＳＰ２２０からＳＡＵ２１４にペイロードデータ情報を運ぶために使用される。さらに、保守チャネル２４３は、フォワードリンク４０で基地局プロセッサ２２０からＳＡＵ２１４に、同期およびパワー制御情報を運ぶ。ページングチャネル２４１または保守チャネル２４３よりも遥かに多くのトラフィックチャネル２４１が一般に存在することを理解されたい。この好ましい実施形態では、論理フォワードリンクチャネル２４１、２４２および２４３、ならびに２５１、２５２および２５３は、各チャネルに擬似ランダムノイズ（ＰＮ：ｐｓｅｕｄｏｒａｎｄｏｍ  ｎｏｉｓｅ）チャネル符号を割り当てることによって定義される。したがって、システム１０は、複数の符号化チャネルが同じ無線周波数（ＲＦ）チャネルを使用する、いわゆる符号分割多重アクセス（ＣＤＭＡ）システムである。論理または符号チャネルは、複数のアクティブＳＡＵ２１４間でさらに分割されまたは割り当てられる。
【００４３】
信号系列の処理操作は一般に、リバースリンク５０の各論理チャネル５１、５２および５３を符号化するように実施される。リバースリンク方向では、送信側はＳＡＵ２１４のうちの１つであり、受信側は、基地局プロセッサ（ＢＳＰ）２２０である。本発明の好ましい実施形態は、ＩＳ−９５Ｂ規格に従って動作するものなどのＣＤＭＡデジタル携帯電話システムのレガシーユーザもリバースリンク５０上に存在する環境内で実施される。ＩＳ−９５Ｂシステムでは、リバースリンクＣＤＭＡチャネル信号は、非直交の擬似ランダムノイズ（ＰＮ）符号を割り当てることによって識別される。
【００４４】
次に図２に注目すると、第１グループのレガシーユーザ１１０のためのチャネル符号化プロセスがより詳細に示されている。この第１クラスのユーザは、例えば、上述したようにＩＳ−９５Ｂ規格に従って信号を符号化するデジタルＣＤＭＡ携帯電話システムのユーザを含む。したがって、個々のチャネルは、各チャネルの擬似ランダムノイズ（ＰＮ）符号系列によって入力デジタル化音声信号を変調することによって識別される。具体的には、チャネル符号化プロセスは、送信される情報である入力デジタル信号３０２を取る。直交変調装置３０４は、一対の乗算器３０６−ｉおよび３０６−ｑに、同相（ｉ）および直交（ｑ）信号を提供する。短擬似ランダムノイズ（ＰＮ）符号発生器３０５は、スペクトラム拡散のために使用される短い、（この場合、２１５−１、すなわち３２７６７ビット）の長さの符号を提供する。したがって、この短い符号は一般に、第１グループ１１０の各論理チャネルについて同じ符号である。
【００４５】
第２の符号変調ステップは、２つの信号パス（ｉ）および（ｑ）に追加の長いＰＮ符号を掛けることによって、その２つの信号パスに適用される。これは、長符号生成器３０７と長符号乗算器３０８−ｉおよび３０８−ｑとによって遂行される。その長符号は、リバースリンク５０上の各ユーザを一意に識別するのに役立つ。その長符号は、例えば単に各２  ４２−１ビットを繰り返す非常に長い符号である。さらなるスペクトラム拡散が発生しないように、長符号は、短符号のチップ速度で適用され、例えば長符号の１ビットが、短符号変調プロセスによって出力された各ビットに適用される。
【００４６】
個々のユーザは、ＰＮ長符号のそれぞれ異なる位相オフセットを各ユーザに適用することによって識別される。
【００４７】
第１グループのユーザ１１０について、他の同期ステップが取られる必要はないことを理解されたい。具体的には、リバースリンク５０上のこうした伝送は、非同期であるように設計されており、したがって必ずしも完全に直交ではない。
【００４８】
図３は、第２グループのユーザ２１０のためのチャネル符号化プロセスのより詳細な図である。この第２グループ２１０は、例えば、データ伝送に最適なフォーマットに従って信号を符号化する無線データユーザを含む。
【００４９】
個々のチャネルは、第１グループのユーザ１１０用に使用される同じ符号系列である擬似ランダムノイズ（ＰＮ）符号系列で入力データを変調することによって識別される。しかし、簡単に理解されるように、第２グループ２１０内のチャネルは、ウォルシュ符号などの特定の直交符号によって一意に識別される。具体的には、第２グループのユーザ２１０のためのチャネル符号化プロセスは、入力デジタル信号４０２を取り、短符号発生器４０５、ウォルシュ符号発生器４１３および長符号発生器４０７によって生成された複数の符号を適用する。
【００５０】
第１ステップとして、直交変調器４０４は、第１の乗算器対４０６−ｉと４０６−ｑに、同相（ｉ）および直交（ｑ）信号パスを提供する。短擬似ランダムノイズ（ＰＮ）符号発生器４０５は、スペクトラム拡散のために使用される短い、この場合、２１５の長さの符号を提供する。したがって、この短い符号は一般に、第１グループ１１０の各チャネルについて使用される短ＰＮ符合と同じである。
【００５１】
プロセスの第２ステップは、例えばウォルシュ符号発生器４１３によって生成された直交符号を適用する。これは、それぞれの同相および直交信号パス上に直交符号を印加する乗算器４１２−ｉおよび４１２−ｑによって遂行される。各論理チャネルに割り当てられる直交符号は、それぞれ異なっており、こうしたチャネルを一意に識別する。
【００５２】
プロセスの最終ステップで、第２の擬似ランダムノイズ（ＰＮ）長符号が、（ｉ）および（ｑ）信号パスに適用される。したがって、長符号発生器４０７は、同相４０８−ｉおよび直交４０８−ｑ乗算器のうちの対応する１つのパスに長符号を転送する。この長符号は、第２グループ２１０の各ユーザを一意に識別しない。具体的には、この符号は、第１グループのユーザ１１０を一意に識別する、第１グループで使用されるまったく同じ長符号のうちの１つである。したがって、例えば、長符号の１ビットが、短符号変調プロセスによって出力された各ビットに適用されるように、短符号チップ速度の符号と同じやり方で適用される。このようにして、第２グループ２１０のすべてのユーザは、第１グループ１１０の単一のレガシーユーザのように見える。しかし、第２グループ２１０のユーザは、該ユーザに一意の直交ウォルシュ符号が割り当てられていることを考慮すると、一意に識別される。
【００５３】
好ましい実施形態での実施はリバースリンク５０上で行われるので、第２グループ２１０の様々なユーザ間の直交性を維持するために、追加の情報が提供されなければならない。したがって、具体的には、保守チャネル２４３が、フォワードリンク４０内に含められる。この保守すなわち「ハートビート」チャネルは、遠隔装置２１４がその伝送を適切に同期させることができるように、同期情報および／または他のタイミング信号を提供する。保守チャネルは、時間スロットに組み入れられる。このフォワードリンク保守チャネル２４３のフォーマッティングのさらなる詳細について、２００１年２月１日に出願された同時係属の「MAINTENANCE LINK USING ACTIVE/STANDBY REQUEST CHANNELS」という名称の特許文献１を参照することができる。同特許の全体を本明細書中で参考として援用する。
【００５４】
したがって、特定の基盤が、第２グループのユーザ２１０と第１グループのユーザ１１０の両方によって共有されることを理解されたい。例えば、アンテナ２１８および１１８は、図１では別個の基地局アンテナとして示されているが、実際は共有アンテナである。よって同様に、アンテナの位置も、同じである。これによって、第２グループのユーザ２１０が、既にその場所にあり、またレガシーユーザ１１０によって使用されている装置および物理的な拡張場所を共有することが可能になる。このことは、この新しいグループのユーザ２１０の無線基盤の配置を簡略化し、例えば新しい場所および新しいアンテナサイトが拡張される必要はない。
【００５５】
図４は、図１に類似のネットワーク図である。この無線ネットワーク４００では、第１の基地局プロセッサ（ＢＳＰ）２２０−１および第２の基地局プロセッサ２２０−２（総称して２２０）は、アクセス端末２１３−１、２１３−２、．．．、２１３−３、およびハンドヘルド装置１１３−１、１１３−２および１１３−３のために他のネットワーク（インターネットやＰＳＴＮなど）へのアクセスを提供する。この基地局プロセッサ２２０は、非レガシーアクセス端末２１３のために、直交チャネルを使用してＣＤＭＡリバースリンクのソフトハンドオフをもサポートし、その一方で、レガシーハンドヘルド装置１１３が一般的なやり方でリバースリンクを使用できるようにする。アクセス端末２１３およびハンドヘルド装置１１３は、フィールド装置または加入者アクセス装置（ＳＡＵ）と同義的に称される。
【００５６】
「レガシー」フィールド装置は、共通のリバースリンクチャネルを他のフィールド装置と共有するための一意の直交符号を適用する変調プロセスを備えないフィールド装置を指す。「非レガシー」フィールド装置は、共通のリバースリンクチャネルを他のフィールド装置と共有するための一意の直交符号を適用する変調プロセスを備えるフィールド装置を指す。ＢＳＰ２２０は、基準に基づいてリバースリンクチャネルのタイミング制御を選択的に再割り当てすることによって、ソフトハンドオフをサポートする。好ましい一実施形態では、両方のＢＳＰ２２０が、フィールド装置にパワー制御フィードバックを提供する。
【００５７】
図４について続けて言及すると、アンテナタワー２１８の上方に、各基地局プロセッサ２２０と通信する各フィールド装置についてのリバースリンク信号の関連タイミングを示す第１および第２のタイミング図４０３−１および４０３−２（総称して４０３）がある。こうしたタイミング図４０３は、時間整合がとられた直交リバースリンクチャネルと、時間整合がとられていない直交または非直交チャネルとの間の区別を示している。上記で論じたように、共通のリバースリンクチャネルを共有するそれぞれの非レガシーアクセス端末２１３は、共通のリバースリンクチャネルを使用する他のネットワーク装置のリバースリンク信号からそのリバースリンク信号を区別する一意の直交符号を加えるための追加の符号化プロセスを有する。
【００５８】
この議論のために、（ｉ）アクセス端末２１３は共通のリバースリンク直交チャネルを共有し、（ｉｉ）３つのハンドヘルド装置１１３は、リバースリンク上でレガシーの非直交通信技術を使用すると想定する。
【００５９】
第１タイミング図４０３−１で、第１基地局プロセッサ２２０−１は、アライメントコントローラ（図示せず）を使用して、ＢＳＰ２２０−１の制御対象のアクセス端末のリバースリンク直交チャネルのタイミングを整合させる。この場合、ＢＳＰ２２０−１は、第１および第２フィールド装置２１３−１、および２１３−２の、垂直のチェックマーク４２５−１および４２５−２によってそれぞれ表されたリバースリンク論理チャネル４２０−１および４２０−２のタイミングを制御する。そのリバースリンクを時間整合させた（すなわち共通の長符号を整合させた）リバースリンクチャネルは、「固有」の直交チャネル４１０と称される。やはり第１基地局プロセッサ２２０−１と通信する第３アクセス端末２１３−３は、そのリバースリンク論理チャネル４２０−３（４２５−３）を、第１および第２アクセス端末２１３−１および２１３−２のリバースリンク論理チャネルと時間整合させない。第３アクセス端末２１３−３は、そのリバースリンクチャネル４２０−３を、第２ＢＳＰ２２０−２によって制御させる。したがって、第３フィールド装置２１３−３のリバースリンク論理チャネル４２０−３（４２５−３）のタイミングは、第１タイミング図４０３−１において、固有の直交チャネル４２５−１および４２５−２からオフセットされて示されている。
【００６０】
第２タイミング図４０３−２で、第２基地局プロセッサ２２０−２と通信する５つの無線ネットワーク装置２１３−１、２１３−３、１１３−１、１１３−２および１１３−３のリバースリンク論理チャネル４２０−１、４２０−３、４２０−４、４２０−５および４２０−６は、垂直のチェックマーク、４２５−１、４２５−３、４２５−４、４２５−５および４２５−６によってそれぞれ表されている。第２ＢＳＰ２２０−２は、第３アクセス端末２１３−３の上り直交リンク４２０−３（４２５−３）のタイミングを制御するが、他のアクセス端末２１３−１、２１３−２のいずれも制御しない。したがって、予想されるように、第２ＢＳＰ２２０−２で、リバースリンク論理チャネル４２０（４２５）は、第２タイミング図４０３−２に示すように、互いに位相オフセットされる。第２ＢＳＰ２２０−２において、リバースリンクチャネルのうちの３つ４２５−１、４２５−５および４２５−６は、時間が比較的に接近しており、「外部」直交チャネル４１５と称される。
【００６１】
外部直交チャネル４１５は、共通のリバースリンクチャネル上で互いに区別するための一意の直交符号を有していないという点で、本当の意味で直交ではない。したがって、外部直交チャネル４１５が整合されている場合、第２ＢＳＰ２２０−２で、それは、破壊的に互いに干渉する。特定の状況では、それぞれの基地局プロセッサ２２０は、固有の直交チャネル４１０、および外部または非直交チャネル４１５をサポートしていることがある。この状況は、非レガシーとレガシーのフィールド装置の組合せがそれぞれ、同じセルゾーン内で使用されることを示している。
【００６２】
既存の直交技術では、アクセス端末のうちの１つ（例えば２１３−３）などのフィールド装置が、第１基地局プロセッサ２２０−１のセルゾーンから第２基地局プロセッサ２２０−２のセルゾーンに移動する場合のための、リバースリンクのソフトハンドオフ技術は存在しない。本明細書で開示するリバースリンクのソフトハンドオフ技術は、（ｉ）非レガシー無線ネットワーク装置２１３から複数の基地局プロセッサ２２０へのリバースリンクの通信をサポートし、（ｉｉ）（後述の）タイミングおよびパワー制御を実施し、（ｉｉｉ）複数の基地局プロセッサ２２０のうちのどれが、図８に関して述べる、基準に基づくフィールド装置のためのリバースリンクタイミング制御の「マスタ」であるかを調整する。複数のＢＳＰ２２０のうちのどれが所定のアクセス端末２１３のリバースリンクチャネルのタイミングを制御するかを調整することによって、その所定の端末２１３は、リバースリンクの接続損失なしに、あるセルゾーンから別のセルゾーンに移動することができる。本発明の諸原理は、高速直交タイミング整合の技術（すなわち、共通のリバースリンクチャネルが他のアクセス端末２１３の共通のリバースリンクチャネルと時間整合がとれ、または互いに直交するように、アクセス端末２１３の共通論理チャネルの長符号の位相を調整すること）を含む。
【００６３】
リバースリンクチャネルのタイミング制御を受信する基地局プロセッサ２２０は、同じリバースリンク論理チャネルを共有する他のフィールド装置のリバースリンク論理チャネルのタイミングの関数として、フィールド装置のリバースリンク論理チャネルのタイミングの総オフセットを決定する。総オフセットは、オフセットコマンドまたはオフセットメッセージの形でフィールド装置２１３に送信される。総オフセット情報に基づいて、フィールド装置は、その総タイミングオフセットに従って論理チャネルの粗いタイミング調整を行う。粗いタイミング調整の後に、微細なタイミング調整が、リバースリンク論理チャネル４２０のその粗いタイミング調整後に基地局プロセッサ２２０によって測定される微細なタイミングオフセットに従って行われる。
【００６４】
図５は、直交チャネル構造を使用したＣＤＭＡリバースリンクのソフトハンドオフへの対応がなされている基地局プロセッサ２２０−１のうちの１つのブロック図である。基地局プロセッサ２２０−１は、アンテナタワー２１８を介してフィールド装置１１３、２１３からリバースリンクチャネルを受信する。所定のフィールド装置２１３からリバースリンクチャネルを受信する受信機５０５は、直交タイミングコントローラ５１０に、受信された信号を送信する。直交タイミングコントローラ５１０または等価の装置は、同じリバースリンク論理チャネルを共有する他のフィールド装置からの、リバースリンクチャネルに関する総タイミングオフセット５１３を決定する。総タイミングオフセット５１３は、所定のフィールド装置２１３にコマンドの形で送信するための絶対測定、或いは、メッセージの形で所定のフィールド装置２１３に返送される相対測定であることもあり、その所定のフィールド装置２１３が、追加の処理を使用して、リバースリンク信号のタイミングオフセット（すなわち位相調整）を決定する。絶対と相対測定の組合せを使用することもできる。
【００６５】
図６Ａは、第１基地局プロセッサ２２０−１および第２基地局プロセッサ２２０−２を含むネットワークの概略図である。基地局プロセッサ２２０は、それぞれのアライメントコントローラ５１５を含む。アライメントコントローラ５１５は、どちらの基地局プロセッサ２２０がフィールド装置２１３のリバースリンク４２０のタイミング整合を制御するかを選択しまたは制御するために、基地局プロセッサ２２０によって使用される。
【００６６】
どちらのＢＳＰ２２０がフィールド装置２１３−１のタイミング整合を制御すべきかを決定するために、アライメントコントローラ５１５は、フィールド装置２１３−１から受信された信号に関するメトリック（信号対雑音比（ＳＮＲ）など）を計算する。
【００６７】
所定のアライメントコントローラ５１５は、その所定のアライメントコントローラ５１５に関連付けられた関連基地局プロセッサ２２０が、フィールド装置２１３−１のリバースリンクチャネルのタイミングを制御することを他の基地局プロセッサ２２０に知らせるために、他のアライメントコントローラ５１５にメッセージを発行することができる。あるいは、所定のアライメントコントローラ５１５は、第２基地局プロセッサ２２０−２内のアライメントコントローラ５１５などの別のアライメントコントローラ５１５に、第２基地局プロセッサ２２０−２がフィールド装置２１３−１のリバースリンクチャネルのタイミングを制御すべきであるというコマンドまたはメッセージを発行することができる。どちらの基地局プロセッサ２２０がフィールド装置２１３の整合を制御するかを決定するための他の交渉の取決めが、アライメントコントローラ５１５間で行われる。ある基地局プロセッサ２２０が直交リバースリンクチャネルのタイミングを制御するように命じられまたは選ばれると、タイミング制御ハンドオフを円滑に進めるために、直交タイミングコントローラ５１０を使用して、上記で論じた総タイミングオフセットが決定される。
【００６８】
図６Ｂは、アライメントコントローラ５１５がフィールド装置２１３−１の一部として配置され、この場合、加入者アクセス装置２１４−１内に組み込まれている無線ネットワークの概略図である。代替方法として、アライメントコントローラ５１５は、ＰＣ２１２−１内に、あるいは加入者アクセス装置（ＳＡＵ）２１４−１内またはＰＣ２１２−１のいずれかに電気的に接続されたスタンドアロン装置として、含められる。
【００６９】
この構成では、アライメントコントローラ５１５は、フィールド装置２１３−１に、第１基地局プロセッサ２２０−１または第２基地局プロセッサ２２０−２のいずれかから受信されたタイミング制御信号に応答させるために、フィールド装置２１３−１のＳＡＵ２１４−１にコマンドまたはメッセージを提供する。
【００７０】
図６Ｃは、アライメントコントローラ５１５が基地局制御装置（１２３）内に配置されている無線ネットワーク４００の概略図である。この場合、アライメントコントローラ５１５は、どちらの基地局プロセッサ２２０がフィールド装置２１３−１の直交リバースリンクチャネルのタイミングを制御すべきかを決定するために、第１基地局２２０−１または第２基地局２２０−２の各直交タイミングコントローラ５１０から情報を受信することができる。アライメントコントローラ５１５は、複数の要因、例えば各基地局プロセッサ２２０上のリバースリンク信号の信号対雑音比などに基づいてこの決定を行うことができる。アライメントコントローラ５１５は、どちらの基地局プロセッサ２２０がフィールド装置２１３−１のリバースリンクのタイミングを制御すべきかを示すコマンドまたはメッセージを使用することができる。いずれの場合も、選択された基地局プロセッサ２２０は、直交リバースリンクチャネルのタイミングを制御するのが基地局プロセッサ２２０であることを示すコマンドまたはメッセージを、フィールド装置２１３−１に発行する。アライメントコントローラ５１５は、ダイバーシチの概念を理解し、また基地局プロセッサ２２０間のダイバーシチ効果を最大にするために、どちらの基地局プロセッサ２２０がリバースリンクチャネルのタイミングを制御するかについて選択することもできることを理解されたい。
【００７１】
図７は、本明細書の諸原理による、ＣＤＭＡ直交リバースリンクのソフトハンドオフプロセスのフローチャートである。この例では、第１基地局プロセッサ２２０−１は第１のプロセス７００を実行し、アクセス端末２１３は、第２のプロセス７３５を実行する。ステップ７０５でＢＳＰプロセス７００が開始した後に、ＢＳＰプロセス７００は、ステップ７１０で、アクセス端末２１３からのリバースリンク信号の受信を待つ。ステップ７４０でアクセス端末プロセス７３５が開始した後に、ステップ７４５で、アクセス端末２１３は、他のアクセス端末２１３のリバースリンク信号に共通のリバースリンクチャネル上で、一意の直交符号を含むリバースリンク信号を送信する。ＢＳＰプロセス７００は、ステップ７１０で、リバースリンク信号を受信し、ステップ７１５に続く。ステップ７１５で、ＢＳＰプロセス７００は、図２および３に関して上述したように、リバースリンク信号中の、直交リバースリンクグループに属するアクセス端末２１３を識別する長符号が、同じアクセス端末グループ内の他のアクセス端末２１３の長符号と同相であるかどうか決定する。それは、長符号ではあるが、基地局プロセッサ７００によって時間整合がとられたウォルシュ符号などの一意の特定の直交符号ではない。長符号が同相の場合、リバースリンク信号のその一意の識別符号は、互いに直交する。
【００７２】
リバースリンク信号の長符号が、互いに直交する同じリバースリンクグループ内の他のアクセス端末２１３の他のリバースリンク信号の長符号と同相（すなわち時間整合がとられている）であれば、プロセス７００は、ステップ７３０で終了する。長符号が他のアクセス端末のリバースリンク信号の長符号と同相でない場合、ＢＳＰプロセス７００は、ステップ７２０に続き、そこで、図５に関して上記で論じたように、直交タイミングコントローラ５１０によって総タイミングオフセットについての決定が行われる。
【００７３】
ＢＳＰプロセス７００は、ステップ７２５に続き、基地局プロセッサ２２０は、アクセス端末２１３にコマンドまたはメッセージの形で総タイミングオフセットを送信する。ステップ７５０で、アクセス端末プロセス７３５は、総タイミングオフセットを受信し、リバースリンク信号のタイミングを調整する。アクセス端末プロセス７３５はステップ７５５で終了し、ＢＳＰプロセス７００は、ステップ７３０で終了する。
【００７４】
図８は、アクセス端末２１３と対話するときの、２つの基地局プロセッサ２２０−１および２２０−２のフローチャートである。第１基地局プロセッサ２２０−１は、アクセス端末２１３のリバースリンクのタイミングを制御するプロセス８００を実行する。もう一方の基地局プロセッサ２２０−２は、アクセス端末２１３のリバースリンクのタイミングを制御していない処理を提供する。アクセス端末２１３は、それ自体のプロセス８３３を実行する。プロセス８３３は、フィードバックを受信し、リバースリンク信号の粗い量および微量の調整を行い、基地局プロセッサ２２０から受信されたパワーレベルのフィードバックに従ってパワーレベル調整を行うことができる。
【００７５】
アクセス端末２１３は、第１基地局プロセッサ２２０−１および第２基地局プロセッサ２２０−２によって受信される信号を送信する（ステップ８３６）。この例では、第１基地局プロセッサ２２０−１は、アクセス端末２１３によって、リバースリンク信号のタイミングを制御するように以前に選択されていると想定する。したがって、第１基地局プロセッサ２２０−１は、アクセス端末２１３からリバースリンク直交信号を受信する（ステップ８０３）。このリバースリンク直交信号は、同じリバースリンクチャネルを共有する他のリバースリンク信号と整合がとられ、または同じ上りチャネルを使用する他のアクセス端末２１３からの他のリバースリンク信号と整合がとられる。ステップ８０６で、基地局プロセッサ２２０−１は、アクセス端末２１３からの信号が１つまたは複数のタイミング基準を満たしているかどうか決定する。信号が１つまたは複数のタイミング基準を満たしていない場合、プロセス８００は、その信号を、同じ符号を使用する他の信号と整合をとらせるためにアクセス端末２１３にフィードバックする総タイミングオフセットを決定する。ステップ８３９で、フィードバックがアクセス端末２１３によって受信される。信号が１つまたは複数のタイミング基準を満たしている場合、プロセス８００はステップ８０９に続き、プロセス８００は、微タイミングオフセットが必要かどうか決定する。必要である場合、プロセス８００は、微タイミングオフセットがどちらであるかをアクセス端末２１３に送信し、該オフセットは、アクセス端末２１３によって実行されたプロセス８３３のステップ８３９で受信される。微タイミングオフセットが必要ない場合、プロセス８００は、ステップ８１５に続く。
【００７６】
ステップ８１５で、基地局プロセッサ２２０−１は、アクセス端末２１３によって送信される信号のパワーレベルが調整されるべきかどうか決定する。同様に、ステップ８１５で、第２基地局プロセッサ２２０−２もまた、アクセス端末２１３のパワーレベルを調整させるかどうか決定する。いずれの場合も、パワーレベルオフセットが、フォワードリンクでアクセス端末２１３に送信される。
【００７７】
パワーレベル調整が必要ない場合、第１基地局プロセッサプロセス８００と第２基地局プロセッサプロセス８０２の両方に関して、それぞれのプロセスは、ステップ８１８に続き、タイミング制御のハンドオフが開始されるべきかどうかについての決定が行われる。タイミング制御のハンドオフは、１組の基準に基づいて開始される。
【００７８】
（ａ）代替パスのメトリックが、事前に指定された時間間隔の間に閾値を超える、
（ｂ）代替パスのメトリックが、指定された時間間隔の間に、現行パスに対する相対閾値を超える、
（ｃ）現在選択されているパスが、絶対メトリック未満に下がる、
（ｄ）候補のパスが絶対メトリックを超過する、ただし、メトリックは、以下のうちの１つまたは複数である。
ａ．パワー、
ｂ．ＳＮＲ、
ｃ．パワーの差異、
ｄ．ＳＮＲの差異、および
ｅ．２つのパスの相対比。
【００７９】
タイミング制御のハンドオフが開始された場合、ステップ８２１で、基地局プロセッサ２２０−１は、他の基地局プロセッサおよび基地局制御装置１２３を更新する。アクセス端末２１３は、タイミング制御のハンドオフについて知ることもできる。タイミング制御がハンドオフされなかった場合、プロセス８００および８０２は、ステップ８２４に続き、別の基地局プロセッサ２２０、基地局制御装置１２３またはアクセス端末２１３が基地局プロセッサ２２０に、リバースリンク信号のタイミングを制御することのコマンドまたはメッセージを送信する場合は、タイミング制御を解放しまたは受け付けるかの決定が行われる。基地局プロセッサがタイミング制御の役目を解放しまたは受け付ける場合、プロセス８００、８０２は、ステップ８３０に続き、システムの動作パラメータを更新し、更新しない場合、プロセス８００、８０２は、ステップ８０３に戻って、アクセス端末２１３からの信号を受信する。
【００８０】
ステップ８３９で、アクセス端末２１３によって実行されたプロセス８３３は、フィードバックを受信し、以下のようにそのフィードバックを処理する。まず、フィードバックが受信されない場合、この実施形態では、プロセス８３３は、ステップ８３９で、フィードバックを待ってループする。フィードバックが受信されると、プロセスは、ステップ８４２に続き、粗タイミング調整コマンドまたはメッセージが受信されたかどうか決定する。受信された場合、ステップ８４５で、粗タイミング調整が行われる。上記で開示したように、粗タイミング調整は、絶対測定でも、相対測定でもよいことを理解されたい。
【００８１】
ステップ８４８で、アクセス端末２１３は、微タイミング調整コマンドまたはメッセージが受信されたかどうか決定する。受信された場合、ステップ８５１で、微タイミング調整が行われる。微タイミング調整は一般に、微分コマンドまたはメッセージであることを理解されたい。微タイミング調整の後に、プロセス８３３は、パワーレベル調整コマンドまたはメッセージが受信されたかどうか決定する。受信された場合、ステップ８５７で、アクセス端末２１３は、パワーレベルを調整する。
【００８２】
タイミングまたはパワーの調整の後に、ステップ８６０で、プロセス８３３は、アクセス端末２１３の動作パラメータを更新する。システムパラメータの更新の後に、ステップ８３９で、プロセス８３３は、１つまたは複数の基地局プロセッサ２２０からのフィードバックを待って繰り返す。
【００８３】
図９は、アクセス端末２１３から送信されるリバースリンク信号のパワーレベルを調整するために、基地局プロセッサ２２０およびアクセス端末２１３によってそれぞれ実行されるプロセス９００、９２０のフローチャートである。基地局プロセッサ２２０によって実行されるプロセス９００を参照すると、ステップ９０５で、プロセス９００が開始している。ステップ９１０で、基地局プロセッサ２２０は、アクセス端末２１３に、リバースリンク信号のパワーレベルを変更させるかどうか決定する。リバースリンク信号のパワーレベルの変更が望まれる場合、フィードバックが、コマンドまたはメッセージの形でアクセス端末２１３に送信される。ステップ９１５で、基地局プロセッサ２２０のプロセス９００は、終了する。
【００８４】
ステップ９２５で、アクセス端末２１３によって実行されるプロセス９２０が開始する。ステップ９３０でフィードバックが受信されると、プロセス９２０は、ステップ９３５に続き、すべての基地局プロセッサ２２０がパワーレベルの増加を要求しているかどうかの決定が行われる。要求している場合、プロセス９２０はステップ９４０に続き、アクセス端末２１３は、最小の増加フィードバックと同じ量だけ、リバースリンク信号のパワーレベルを増加させる。すべての基地局プロセッサ２２０がパワーレベルの増加を要求しているとは限らない場合、ステップ９４５で、いずれかの基地局プロセッサ２２０がパワーレベルの減少を要求しているかどうかが決定される。そうである場合、ステップ９５０で、アクセス端末２１３は、最小の減少フィードバックと同じ量だけ、パワーレベルを減少させる。プロセス９２０は、ステップ９５５で終了し、または単にステップ９３０に戻って、パワーレベルのフィードバックの受信を待つ。
【００８５】
パワー制御が直交と非直交の両方の基地局に合わせて維持されている間、コマンドまたはメトリックが、フォワードリンクを介して加入者のベース送信機（すなわちアクセス端末２１３）に送信される。各基地局プロセッサ２２０からのパワー制御コマンドは、信号品質のメトリックが、それぞれの個別の基地局プロセッサ２２０上で達成されるかどうかに基づく。この信号品質のメトリックは、例えばビット誤り率（ＢＥＲ：ｂｉｔ−ｅｒｒｏｒ−ｒａｔｅ）、信号対雑音比（ＳＮＲ）、受信パワーまたはＥｃ／Ｉｏである。メトリックが満たされる場合、送信パワー減少のコマンドが送信される。アクセス端末２１３は両方の基地局プロセッサ２２０からコマンドまたはメッセージを受信するので、それはしばしば、矛盾するコマンドを反映する。これが発生すると、アクセス端末２１３は、「パワー減少」コマンドに従う。これは事実上、排他ＯＲ関数であり、例えば、両方の基地局プロセッサ２２０がパワーアップを命じる場合、「パワーアップ」が行われる。基地局プロセッサ２２０のいずれかがパワーダウンを命じる場合、パワーダウンが行われる。これは、マルチビットのコマンドについても同様に当てはまり、だたし、パワーの最小増加または最大減少に従う。
【００８６】
本発明について、その好ましい実施形態を参照して具体的に示し説明したが、添付の特許請求の範囲によって包含される本発明の範囲から逸脱せずに、形および細部の様々な変更が行われることが当業者には理解されよう。
【図面の簡単な説明】
【００８７】
【図１】直交および非直交リンクをサポートする無線通信システムのブロック図である。
【図２】図１のアクセス端末によって使用される回路のブロック図である。
【図３】他のアクセス端末との直交リンクに作用する符号発生器をさらに含む、図２の回路のブロック図である。
【図４】直交および非直交リンクを使用する複数のフィールド装置を含む、図１の無線通信システムのブロック図である。
【図５】直交リンク上のアクセス端末のタイミングを制御するための直交タイミングコントローラを含む、図４の基地局プロセッサ（ＢＳＰ）のブロック図である。
【図６Ａ】基地局プロセッサ内に置かれたアライメントコントローラを含む、図４のネットワークのネットワーク図である。
【図６Ｂ】フィールド装置内に置かれたアライメントコントローラを含む、図４のネットワークのネットワーク図である。
【図６Ｃ】基地局制御装置内に置かれたアライメントコントローラを含む、図４のネットワークのネットワーク図である。
【図７】信号を互いに直交にするために、図４の基地局（ｂａｓｅ  ｔｅｒｍｉｎａｌ  ｓｔａｔｉｏｎ）およびアクセス端末によって使用されるプロセスのフローチャートである。
【図８Ａ】ソフトハンドオフのために、図４のマルチセル環境内の基地局およびアクセス端末によって使用されるプロセスのフローチャートである。
【図８Ｂ】ソフトハンドオフのために、図４のマルチセル環境内の基地局およびアクセス端末によって使用されるプロセスのフローチャートである。
【図９Ａ】パワー制御のために、図１の基地局およびアクセス端末によって使用されるプロセスのフローチャートである。
【図９Ｂ】パワー制御のために、図１の基地局およびアクセス端末によって使用されるプロセスのフローチャートである。
【図１】
2006506917.tif 000003
【図２】
2006506917.tif 000004
【図３】
2006506917.tif 000005
【図４】
2006506917.tif 000006
【図５】
2006506917.tif 000007
【図６Ａ】
2006506917.tif 000008
【図６Ｂ】
2006506917.tif 000009
【図６Ｃ】
2006506917.tif 000010
【図７】
2006506917.tif 000011
【図８Ａ】
2006506917.tif 000012
【図８Ｂ】
2006506917.tif 000013
【図９Ａ】
2006506917.tif 000014
【図９Ｂ】
2006506917.tif 000015
【国際調査報告】
2006506917.tif 000016